(57)【要約】【課題】画像読み込み時に読取部分にゴミがあっても、ゴミの画像を生じさせずに良好な画像および色の再現性を保つことが出来る画像形成装置を提供する。【解決手段】キャリッジに搭載された読取り部３で原稿画像を読み取って画像処理する画像処理装置は、読取り部３の読み取る画像データを処理する画像処理部６が、ゴミが付着していると検出した場合、システムコントローラはゴミが無いと検出される位置にまで読取り部３を搭載するキャリッジを移動させる。キャリッジが移動された場合、該移動された位置で読取り部３が原稿を読み取る。ここにおいて、読み取る画像データの色味の変化が生ずるが、生じた色味の変化を画像処理部６がＡＣＣにより補正する。【選択図】        図２
2006262210.tif 000002
【特許請求の範囲】
【請求項１】
キャリッジに搭載された読取手段によって原稿画像を読み取って画像処理する画像処理装置であって、
前記読取手段におけるゴミを検出する検出手段と、
前記検出手段がゴミを検出した場合、ゴミが無いと前記検出手段が検出する位置に前記キャリッジを移動する移動手段と、
前記移動手段によって前記キャリッジが移動された場合、該移動された位置で前記読取手段が読み取る画像データの色味の変化をＡＣＣ（Ａｕｔｏ  Ｃｏｌｏｒ  Ｃａｌｉｂｒａｔｉｏｎ）により補正する補正手段と、
を備えたことを特徴とする画像処理装置。
【請求項２】
前記補正手段は、前記ＡＣＣをページ単位に実行するものであることを特徴とする請求項１に記載の画像処理装置。
【請求項３】
前記補正手段は、前記ＡＣＣをジョブ単位に実行するものであることを特徴とする請求項１または２に記載の画像処理装置。
【請求項４】
前記補正手段は、前記ＡＣＣを所定ページ単位に実行することを特徴とする請求項１〜３のいずれか１つに記載の画像処理装置。
【請求項５】
前記補正手段は、前記ＡＣＣ実行をページ単位、ジョブ単位、および所定ページ単位のいずれかの単位で実行するかを設定可能であり、設定された前記いずれかの単位で前記ＡＣＣを実行するものであることを特徴とする請求項１〜４のいずれか１つに記載の画像処理装置。
【請求項６】
キャリッジに搭載された読取手段によって原稿画像を読み取って画像処理する画像処理装置を備え、該画像処理された原稿画像を出力手段を介して出力する画像形成装置であって、
前記画像処理装置は、
前記読取手段におけるゴミを検出する検出手段と、
前記検出手段がゴミを検出した場合、ゴミが無いと前記検出手段が検出する位置に前記キャリッジを移動する移動手段と、
前記移動手段によって前記キャリッジが移動された場合、該移動された位置で前記読取手段が読み取る画像データの色味の変化をＡＣＣ（Ａｕｔｏ  Ｃｏｌｏｒ  Ｃａｌｉｂｒａｔｉｏｎ）により補正する補正手段と、
を備えたものであることを特徴とする画像形成装置。
【請求項７】
キャリッジに搭載された読取手段によって原稿画像を読み取って画像処理する画像処理装置における画像処理方法であって、
検出手段によって、前記読取手段におけるゴミを検出する検出工程と、
前記検出工程でゴミを検出した場合、移動手段によって、ゴミが無いと前記検出手段が検出する位置に前記キャリッジを移動する移動工程と、
前記移動工程で前記キャリッジが移動された場合、補正手段によって、該移動された位置で前記読取手段が読み取る画像データの色味の変化をＡＣＣ（Ａｕｔｏ  Ｃｏｌｏｒ  Ｃａｌｉｂｒａｔｉｏｎ）により補正する補正工程と、
を備えたことを特徴とする画像処理方法。
【請求項８】
前記補正工程は、前記補正手段によって、前記ＡＣＣをページ単位に実行するものであることを特徴とする請求項７に記載の画像処理方法。
【請求項９】
前記補正工程は、前記補正手段によって、前記ＡＣＣをジョブ単位に実行するものであることを特徴とする請求項７または８に記載の画像処理方法。
【請求項１０】
前記補正工程は、前記補正手段によって、前記ＡＣＣを所定ページ単位に実行することを特徴とする請求項７〜９のいずれか１つに記載の画像処理方法。
【請求項１１】
前記補正工程は、前記補正手段によって、前記ＡＣＣ実行をページ単位、ジョブ単位、および所定ページ単位のいずれかの単位で実行するかを設定可能であり、設定された前記いずれかの単位で前記ＡＣＣを実行するものであることを特徴とする請求項７〜１０のいずれか１つに記載の画像処理方法。
【請求項１２】
請求項７〜１１のいずれか１つに記載の画像処理方法をコンピュータに実行させることを特徴とするプログラム。
【請求項１３】
請求項１２に記載のプログラムをコンピュータ読み取り可能に格納したことを特徴とする記録媒体。
【発明の詳細な説明】
【技術分野】
【０００１】
本発明は、画像処理装置、画像形成装置、画像処理方法、その方法をコンピュータに実行させるプログラム、および記録媒体に関するものである。
【背景技術】
【０００２】
画像読取装置が画像読み取りを行う場合、読み取り部分にゴミなどが付着していた場合は、スジ状の不要な画像が記録媒体に形成されてしまう。このようなゴミによる不要な画像の発生を避ける技術として、ゴミ検出時にフィルタを掛けて画像処理を行い、ゴミによる不要な画像を除去処理する技術が考案されている（特許文献１）。
【０００３】
【特許文献１】特開２００１−１６０８８６号公報
【発明の開示】
【発明が解決しようとする課題】
【０００４】
しかしながら、特許文献１の技術においては、フィルタを切り換えることによってゴミであることを検出するものでありため、場合によれば、ゴミではない原稿中に描かれた画像をも間違って除去して画像を出力してしまう危険性があった。
【０００５】
本発明は、上記の問題に鑑みてなされ、その目的は、画像読み込み時に読取部分においてゴミを検出した場合でも、ゴミの画像を生じさせずに良好な画像および色の再現性を保つことが出来る画像処理装置、画像形成装置、画像処理方法、その方法をコンピュータに実行させるプログラム、および記録媒体を提供することである。
【課題を解決するための手段】
【０００６】
上述した課題を解決し、目的を達成するために、請求項１にかかる発明は、キャリッジに搭載された読取手段によって原稿画像を読み取って画像処理する画像処理装置であって、前記読取手段におけるゴミを検出する検出手段と、前記検出手段がゴミを検出した場合、ゴミが無いと前記検出手段が検出する位置に前記キャリッジを移動する移動手段と、前記移動手段によって前記キャリッジが移動された場合、該移動された位置で前記読取手段が読み取る画像データの色味の変化をＡＣＣ（Ａｕｔｏ  Ｃｏｌｏｒ  Ｃａｌｉｂｒａｔｉｏｎ）により補正する補正手段と、を備えたことを特徴とする。
【０００７】
請求項２にかかる発明は、請求項１に記載の画像処理装置において、前記補正手段は、前記ＡＣＣをページ単位に実行するものであることを特徴とする。
【０００８】
請求項３にかかる発明は、請求項１または２に記載の画像処理装置において、前記補正手段は、前記ＡＣＣをジョブ単位に実行するものであることを特徴とする。
【０００９】
請求項４にかかる発明は、請求項１〜３のいずれか１つに記載の画像処理装置において、前記補正手段は、前記ＡＣＣを所定ページ単位に実行することを特徴とする。
【００１０】
請求項５にかかる発明は、請求項１〜４のいずれか１つに記載の画像処理装置において、前記補正手段は、前記ＡＣＣ実行をページ単位、ジョブ単位、および所定ページ単位のいずれかの単位で実行するかを設定可能であり、設定された前記いずれかの単位で前記ＡＣＣを実行するものであることを特徴とする。
【００１１】
請求項６にかかる発明は、キャリッジに搭載された読取手段によって原稿画像を読み取って画像処理する画像処理装置を備え、該画像処理された原稿画像を出力手段を介して出力する画像形成装置であって、前記画像処理装置は、前記読取手段におけるゴミを検出する検出手段と、前記検出手段がゴミを検出した場合、ゴミが無いと前記検出手段が検出する位置に前記キャリッジを移動する移動手段と、前記移動手段によって前記キャリッジが移動された場合、該移動された位置で前記読取手段が読み取る画像データの色味の変化をＡＣＣにより補正する補正手段と、を備えたものであることを特徴とする。
【００１２】
請求項７にかかる発明は、キャリッジに搭載された読取手段によって原稿画像を読み取って画像処理する画像処理装置における画像処理方法であって、検出手段によって、前記読取手段におけるゴミを検出する検出工程と、前記検出工程でゴミを検出した場合、移動手段によって、ゴミが無いと前記検出手段が検出する位置に前記キャリッジを移動する移動工程と、前記移動工程で前記キャリッジが移動された場合、補正手段によって、該移動された位置で前記読取手段が読み取る画像データの色味の変化をＡＣＣにより補正する補正工程と、を備えたことを特徴とする。
【００１３】
請求項８にかかる発明は、請求項７に記載の画像処理方法において、前記補正工程は、前記補正手段によって、前記ＡＣＣをページ単位に実行するものであることを特徴とする。
【００１４】
請求項９にかかる発明は、請求項７または８に記載の画像処理方法において、前記補正工程は、前記補正手段によって、前記ＡＣＣをジョブ単位に実行するものであることを特徴とする。
【００１５】
請求項１０にかかる発明は、請求項７〜９のいずれか１つに記載の画像処理方法において、前記補正工程は、前記補正手段によって、前記ＡＣＣを所定ページ単位に実行することを特徴とする。
【００１６】
請求項１１にかかる発明は、請求項７〜１０のいずれか１つに記載の画像処理方法において、前記補正工程は、前記補正手段によって、前記ＡＣＣ実行をページ単位、ジョブ単位、および所定ページ単位のいずれかの単位で実行するかを設定可能であり、設定された前記いずれかの単位で前記ＡＣＣを実行するものであることを特徴とする。
【００１７】
請求項１２にかかる発明は、プログラムであって、請求項７〜１１のいずれか１つに記載の画像処理方法をコンピュータに実行させることを特徴とする。
【００１８】
請求項１３にかかる発明は、記録媒体であって、請求項１２に記載のプログラムをコンピュータ読み取り可能に格納したことを特徴とする。
【発明の効果】
【００１９】
請求項１にかかる発明によれば、ゴミを検出した場合に、読取手段を搭載するキャリッジをゴミのない位置へ移動して読み取りを行う際に、画像データの色味の変化をＡＣＣによって補正することができる画像処理装置を提供できる。
【００２０】
請求項２にかかる発明によれば、ＡＣＣによってページ単位に補正することができる。
【００２１】
請求項３にかかる発明によれば、ＡＣＣによってジョブ単位に補正することができる。
【００２２】
請求項４にかかる発明によれば、ＡＣＣによって所定ページ単位に補正することができる。
【００２３】
請求項５にかかる発明によれば、ＡＣＣによってページ単位、ジョブ単位、あるいは所定ページ単位に補正するよう設定可能であり、設定された単位に従ってＡＣＣにより補正することができる。
【００２４】
請求項６にかかる発明によれば、ゴミを検出した場合に、読取手段を搭載するキャリッジをゴミのない位置へ移動して読み取りを行う際に、画像データの色味の変化をＡＣＣによって補正することができる画像形成装置を提供できる。
【００２５】
請求項７にかかる発明によれば、ゴミを検出した場合に、読取手段を搭載するキャリッジをゴミのない位置へ移動して読み取りを行う際に、画像データの色味の変化をＡＣＣによって補正することができる画像処理装置を方法できる。
【００２６】
請求項８にかかる発明によれば、ＡＣＣによってページ単位に補正することができる。
【００２７】
請求項９にかかる発明によれば、ＡＣＣによってジョブ単位に補正することができる。
【００２８】
請求項１０にかかる発明によれば、ＡＣＣによって所定ページ単位に補正することができる。
【００２９】
請求項１１にかかる発明によれば、ＡＣＣによってページ単位、ジョブ単位、あるいは所定ページ単位に補正するよう設定可能であり、設定された単位に従ってＡＣＣにより補正することができる。
【００３０】
請求項１２にかかる発明によれば、請求項７〜１１のいずれか１つに記載の画像処理方法をコンピュータに実行させるプログラムを提供することが出来る。
【００３１】
請求項１３にかかる発明によれば、請求項１２に記載のプログラムをコンピュータ読み取り可能に格納した記録媒体を提供することができる。
【発明を実施するための最良の形態】
【００３２】
（１．実施の形態による画像形成装置）
以下に添付図面を参照して、この発明にかかる画像処理装置、画像形成装置、画像処理方法、その方法をコンピュータに実行させるプログラム、および記録媒体の最良な実施の形態を詳細に説明する。
【００３３】
図１は、実施の形態による画像形成装置の概略を説明する図である。図２は、実施の形態による画像形成装置の要部である画像処理ユニットの機能的ブロック図である。以下、画像形成装置の一般的な画像形成動作に関して本発明に関連する部分を説明する。
【００３４】
ランプ３０２の反射光は、光学系ミラー３００を経てレンズ３０３で集光され、ＣＣＤ３０４で結像される。結像された画像は、画像処理部６で処理を施され、その後、記憶部１０のメモリに蓄積される。
【００３５】
圧板読取りでは、圧板原稿３２０の原稿面をキャリッジ３０１が駆動モータ３０５によって駆動されて移動することにより、その時の走査画像がＣＣＤ３０４で結像される。
【００３６】
ＤＦ読取りでは、ＤＦ原稿３２１は、給紙コロ３１０、ガイドコロ３１１、ＤＦ原稿ガイド３０６、排紙コロ３１２の順番に通過して搬送される。ＤＦ原稿３２１がＤＦ原稿読取り位置３０７を通過することにより、その時の走査画像がＣＣＤ３０４で結像される。
【００３７】
本発明は、ＤＦ原稿読取り位置３０７にゴミがあった場合、ゴミを避けるためにキャリッジ３０１をずらした場合に発生する反射光の色味変化を補正するものである。
【００３８】
この画像形成装置の読み取り光学系装置によって読み取った画像データは印刷出力部によって印刷出力される。
【００３９】
その他に、静電潜像を形成する感光体を備えた潜像形成ユニット５０１、記録紙搬送ユニット５０２、給紙ボックス５０３ａおよびｂなどは、通常の複写機と同様の構成であるので説明を省略する。
【００４０】
（２．実施の形態による画像形成装置の画像処理部分）
図２に示した画像処理ユニットは、本発明の画像処理装置を構成する。画像処理ユニットは、操作部１、操作表示部２、読取り部３、記録部４、システムコントローラ５、画像処理部６、コピーアプリ７、プリンタアプリ８、ＦＡＸアプリ９、および記憶部１０を備える。
【００４１】
操作部１は、画像形成装置を操作するための種々の操作キーやタッチパネルおよびＬＥＤ等により構成され、操作者からの入力を受け付ける。コピーのモードに関する設定もここで行われる。
【００４２】
操作表示部２は、操作状態や本装置の種々の状態を表示する。また、操作者へ表示部を介して情報の表示を行い、かつ表示面上から操作者の入力を受け付ける。
【００４３】
読取り部３は、原稿を所定の倍率，解像度，カラー等の種々の設定において読取る。図１においては、圧板読取りやシートスルー読取りを行う部分である。記録部４は、画像処理部６で処理した画像を記録する。
【００４４】
システムコントローラ５は、この画像形成装置全体の制御処理を実行するものであり、画像処理部６、読取り部３から読込んだデータの変換や、記録部４への出力変換、記憶部１０へのデータの入出力を制御する。システムコントローラ５は、画データのデータ処理をコントロールする部分であり、種々のデータは、コントローラの指示でデータを処理する。
【００４５】
画像処理部６は、読取ったデータの変換や、出力画像の変換等を行う。本発明では、画像処理部６が、ゴミ検知や色味の補正を行う。
【００４６】
コピーアプリ７、プリンタアプリ８、およびＦＡＸアプリ９は、それぞれのアプリ機能の動作を制御する。
【００４７】
記憶部１０は、読み取った画像データ、即ち、読取り部４で読取り、画像処理部６を経由した画像データや、記録出力前の画像データ等を保存する。
【００４８】
実施の形態による画像形成装置の動作の流れについては、操作部１は、操作者による原稿読取りに関するコピーのモード設定含む種々の設定、および印刷に関する種々の設定を受け付け、操作表示部２は設定内容を表示して、動作開始の入力を受け付けてコピー動作を開始する。
【００４９】
読取り部３は、原稿を読み取って画像データを取得し、画像処理部６は、一旦、記憶部１０に記憶させる。システムコントローラ５は、記録部４の動作状況を判断し、最適なタイミングで記録部４へ起動をかける。記録部４は、記憶部１０のデータを画像処理部６を経由して受信し、記録紙への印字を行う。以下に記載する実施例では、システムコントローラ５が各種状態を判断して制御する。
【００５０】
図３は、ゴミを検出した場合のキャリッジの動作を説明する図である。図３に示された点線は、ゴミを避けるためにキャリッジ３０１をずらした場合の反射光路である。
【００５１】
通常は、原稿画像を位置Ｂにおいて光を照射して読取りを行う。しかし、ゴミを位置Ｂにおいて検出した場合には、画像にすじ画像が表れてしまうので、キャリッジ３０１を移動してゴミの無い位置Ａで読取りを行う。位置Ａで読取りを行う場合は、ゴミが無いため、スジ画像のない画像が得られる。しかし、その反面、反射光については最適な読取り位置ではないため、色味の変化が生じてしまう。
【００５２】
本発明は、キャリッジ移動時に発生する色味の変化を、ＡＣＣ（Ａｕｔｏ  Ｃｏｌｏｒ  Ｃａｌｉｂｒａｔｉｏｎ）で補正し、位置の移動により変化した色味を最適化する。ここで、ＡＣＣとは、自動画像調整のことで、基準となるＡＣＣパターン画像において所定位置にあるＲＧＢデータを読取り、読み取ったデータを参照して、γデータを自動補正する。
【００５３】
（３．ＡＣＣパターン）
図４は、基準となるＡＣＣパターン画像の一例を示す模式図である。図５は、色味補正テーブルの一例を示す図表である。以下、テーブルの使用方法を、テーブル中の項目ごとに説明する。
【００５４】
〔キャリッジ（走行体）位置〕
現在のキャリッジ位置を、基準位置からの移動量で表す。
【００５５】
〔前回ＡＣＣ実行位置からの移動量〕
ゴミを検知し、ＡＣＣ実行した時のキャリッジ位置を表す。即ち、ページ単位、ジョブ単位、所定枚数単位で各移動量を表す。
【００５６】
〔ページ単位ＡＣＣ実行判定〕
ゴミを検知した時、この設定が「あり」で、且つ、移動量以上（前回ＡＣＣ実行位置からの移動量に対して）のキャリッジ移動があった場合に、ＡＣＣを実行する。
【００５７】
〔ジョブ単位ＡＣＣ実行判定〕
ゴミを検知した場合で、ジョブの切り換わり時、この設定が「あり」で、且つ、移動量以上（前回ＡＣＣ実行位置からの移動量に対して）のキャリッジ移動があった場合にＡＣＣを実行する。
【００５８】
〔所定枚数ＡＣＣ実行判定〕
ゴミを検知した場合で、所定枚数に達した時、この設定が「あり」で、且つ、移動量以上（前回ＡＣＣ実行位置からの移動量に対して）のキャリッジ移動があった場合にＡＣＣを実行する。
【００５９】
（４．画像処理手順）
図６は、実施の形態による画像処理手順を説明するフローチャートである。操作者は、原稿をセットして、操作部１において読取りの設定を行い、操作表示部２において設定の確認を行った後、操作部１のスタートキーの押下によって読取りを開始する。システムコントローラ５はスタートキーの押下を検出しており（ステップＳ１０１）、検出したと判定した場合（ステップＳ１０１のＹｅｓ）、システムコントローラ５は読取り部３へゴミ検知を要求する検知信号を送信する。画像処理部システム６は、現在のキャリッジ位置を記憶する（ステップＳ１０２）。これは、ゴミ検知後に移動した移動量の判定に使用する。
【００６０】
読取り部３は、キャリッジ位置Ｂ（図３）で、コンタクトガラス上を走査して読み取りデータを取得する。画像処理部６は、取得した読み取りデータを解析する（ステップＳ１０３）。画像処理部６は、データの解析結果（ゴミ有無）を示す情報を、システムコントローラ５へ送信する。
【００６１】
システムコントローラ５は、ゴミが有ることを示す情報を受信すると（ステップＳ１０３のＹｅｓ）、読取り部３へキャリッジ位置の移動を指示する指示情報を送信する。読取り部３は、移動を指示する指示情報を受信して、現在のキャリッジ位置から移動する（ステップＳ１０４）。
【００６２】
システムコントローラ５は、ゴミ無しを示す情報を受信すると（ステップＳ１０３のＮｏ）、記憶部１０はキャリッジ移動量を記憶する（ステップＳ１０５）。一方、ゴミが有ることを示す情報を受信すると、再度ステップＳ１０３に戻って、ゴミ無しの位置を探す。
【００６３】
最初に記憶したキャリッジ位置と、現在のキャリッジ位置とを比較し、移動の有無（即ち、ゴミ検知の有無）を判定する（ステップＳ１０６）。移動無しの場合は（ステップＳ１０６のＮｏ）、ステップＳ１１５の通常の読取動作に入る。
【００６４】
移動有りと判定した場合（ステップＳ１０６のＹｅｓ）、ページ単位ＡＣＣ実行を判断し（ステップＳ１０７）、色味補正テーブルで「あり」が設定されている場合（ステップＳ１０７のＹｅｓ）、ＡＣＣ実行基準移動量を判定する（ステップＳ１１２）。ここで、前回ＡＣＣ実行位置に対して、キャリッジの移動量が基準値以上であると判定した場合（ステップＳ１１２のＹｅｓ）、色味補正（ＡＣＣ実行）処理を施す。そして、操作表示部２にＡＣＣ実行のため中断している旨を表す表示を行い、操作部１でＡＣＣ手順を実行して色味補正を行う（ステップＳ１１３）。そして、ＡＣＣ情報初期化し、次回のＡＣＣ実行用に、キャリッジ位置の記憶／ジョブ単位の実行テーブル／所定枚数の実行テーブルを初期化する（ステップＳ１１４）。そして、原稿が移動し始め（ステップＳ１１５）、読み取りが開始し（ステップＳ１１６）、次の原稿がある場合は（ステップＳ１１７のＹｅｓ）、ステップＳ１１３に戻り、ない場合（ステップＳ１１７のＮｏ）は、終了する。
【００６５】
一方、ジョブ単位ＡＣＣ実行判断において（ステップＳ１０８）、色味補正テーブルで「あり」が設定され（ステップＳ１０８のＹｅｓ）、且つ、ジョブ切替えありの場合（ステップＳ１０９のＹｅｓ）、同様にステップＳ１１２に移行する。
【００６６】
一方、所定枚数ＡＣＣ実行判断において（ステップＳ１１０）、色味補正テーブルで「あり」が設定され（ステップＳ１１０のＹｅｓ）、且つ、所定枚数異常ではない場合（ステップＳ１１１のＮｏ）、ステップＳ１１５に移行する。一方、所定枚数以上と判定された場合（ステップＳ１１１のＹｅｓ）で、かつ、ＡＣＣ実行基準移動量判断において（ステップＳ１１２）、前回ＡＣＣ実行位置に対して、キャリッジの移動量が基準値以上の場合（ステップＳ１１２のＹｅｓ）、ステップＳ１１３以降に移行する。
【００６７】
色味補正（ＡＣＣ実行）の場合、操作表示部２にＡＣＣ実行のため中断している旨を表す表示を行い、操作部１でＡＣＣ手順を実行して色味補正を行う（ステップＳ１１３）。
【００６８】
ＡＣＣ情報初期化を行い、次回のＡＣＣ実行用に、キャリッジ位置の記憶／ジョブ単位の実行テーブル／所定枚数の実行テーブルを初期化する（ステップＳ１１４）。そして、原稿が移動し始め（ステップＳ１１５）、読み取りが開始し（ステップＳ１１６）、次の原稿がある場合は（ステップＳ１１７のＹｅｓ）、ステップＳ１１３に戻り、ない場合（ステップＳ１１７のＮｏ）は、終了する。
【００６９】
（５．効果）
このようにして、ゴミを検出した場合に、キャリッジをゴミの無い位置へ移動して読取りを行う場合に、色味の変化が生じて画質の劣化を招くことに対して、ＡＣＣで補正処理を施すことによって、高画質な画像形成のための画像処理を行うことができる。
【００７０】
ここで、色味の変化に関するＡＣＣ実行を、ページ単位に判断して色味補正を行うことが望ましい。ＡＣＣによってページ単位で補正できるからである。
【００７１】
また、色味の変化に関するＡＣＣ実行をジョブ単位に判断して色味補正を行うことが望ましい。ＡＣＣによってジョブ単位で補正できるからである。
【００７２】
また、色味の変化に関するＡＣＣ実行を所定ページ単位に判断して色味補正を行うことが望ましい。ＡＣＣによって所定ページ単位で補正できるからである。
【００７３】
（６．ハードウェア構成など）
図７は、実施の形態にかかる画像形成装置のハードウェア構成を示すブロック図である。図に示すように、この画像形成装置は、コントローラ１２１０とエンジン部１２６０とをＰＣＩ（Ｐｅｒｉｐｈｅｒａｌ  Ｃｏｍｐｏｎｅｎｔ  Ｉｎｔｅｒｃｏｎｎｅｃｔ）バスで接続した構成となる。コントローラ１２１０は、画像形成装置全体の制御と画像読み取り、情報処理、画像処理、操作部（不図示）からの入力を制御するコントローラである。エンジン部１２６０は、ＰＣＩバスに接続可能な画像情報処理エンジンなどであり、例えば取得した画像データに対して誤差拡散やガンマ変換などの画像情報処理部分が含まれる。
【００７４】
コントローラ１２１０は、ＣＰＵ１２１１と、ノースブリッジ（ＮＢ）１２１３と、システムメモリ（ＭＥＭ−Ｐ）１２１２と、サウスブリッジ（ＳＢ）１２１４と、ローカルメモリ（ＭＥＭ−Ｃ）１２１７と、ＡＳＩＣ（Ａｐｐｌｉｃａｔｉｏｎ  Ｓｐｅｃｉｆｉｃ  Ｉｎｔｅｇｒａｔｅｄ  Ｃｅｒｃｕｉｔ）１２１６と、ハードディスクドライブ１２１８とを有し、ノースブリッジ１２１３とＡＳＩＣ１２１６との間をＡＧＰ（Ａｃｃｅｌｅｒａｔｅｄ  Ｇｒａｐｈｉｃｓ  Ｐｏｒｔ）バス１２１５で接続した構成となる。また、ＭＥＭ−Ｐ１２１２は、ＲＯＭ（Ｒｅａｄ  Ｏｎｌｙ  Ｍｅｍｏｒｙ）１２１２ａと、ＲＡＭ（Ｒａｎｄｏｍ  Ａｃｃｅｓｓ  Ｍｅｍｏｒｙ）１２１２ｂとをさらに有する。
【００７５】
ＣＰＵ１２１１は、画像形成装置の全体制御を行うものであり、ＮＢ１２１３、ＭＥＭ−Ｐ１２１２およびＳＢ１２１４からなるチップセットを有し、このチップセットを介して他の機器と接続される。
【００７６】
ＮＢ１２１３は、ＣＰＵ１２１１とＭＥＭ−Ｐ１２１２、ＳＢ１２１４、ＡＧＰ１２１５とを接続するためのブリッジであり、ＭＥＭ−Ｐ１２１２に対する読み書きなどを制御するメモリコントローラと、ＰＣＩマスタおよびＡＧＰターゲットとを有する。
【００７７】
ＭＥＭ−Ｐ９１２は、プログラムやデータの格納用メモリ、プログラムやデータの展開用メモリなどとして用いるシステムメモリであり、ＲＯＭ１２１２ａとＲＡＭ１２１２ｂとからなる。ＲＯＭ１２１２ａは、プログラムやデータの格納用メモリとして用いる読み出し専用のメモリであり、ＲＡＭ１２１２ｂは、プログラムやデータの展開用メモリ、画像情報処理時の画像描画メモリなどとして用いる書き込みおよび読み出し可能なメモリである。
【００７８】
ＳＢ１２１４は、ＮＢ１２１３とＰＣＩデバイス、周辺デバイスとを接続するためのブリッジである。このＳＢ１２１４は、ＰＣＩバスを介してＮＢ１２１３と接続されており、このＰＣＩバスには、ネットワークインターフェース（Ｉ／Ｆ）部なども接続される。
【００７９】
ＡＳＩＣ１２１６は、マルチメディア情報管理用のハードウェア要素を有するマルチメディア情報管理用途向けのＩＣ（Ｉｎｔｅｇｒａｔｅｄ  Ｃｉｒｃｕｉｔ）であり、ＡＧＰ１２１５、ＰＣＩバス、ＨＤＤ１２１８およびＭＥＭ−Ｃ１２１７をそれぞれ接続するブリッジの役割を有する。
【００８０】
このＡＳＩＣ１２１６は、ＰＣＩターゲットおよびＡＧＰマスタと、ＡＳＩＣ１２１６の中核をなすアービタ（ＡＲＢ）と、ＭＥＭ−Ｃ１２１７を制御するメモリコントローラと、ハードウェアロジック等により画像データの回転などを行う複数のＤＭＡＣ（Ｄｉｒｅｃｔ  Ｍｅｍｏｒｙ  Ａｃｃｅｓｓ  Ｃｏｎｔｒｏｌｌｅｒ）と、エンジン部１２６０との間でＰＣＩバスを介してＵＳＢ（Ｕｎｉｖｅｒｓａｌ  Ｓｅｒｉａｌ  Ｂｕｓ）１２４０、ＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  １３９４）インタフェース１２５０が接続される。
【００８１】
ＭＥＭ−Ｃ１２１７は、送信用画像バッファ、符号バッファとして用いるローカルメモリであり、ＨＤＤ１２１８は、画像データの蓄積、プログラムの蓄積、フォントデータの蓄積、フォームの蓄積を行うためのストーレジである。
【００８２】
ＡＧＰ１２１５は、グラフィック処理を高速化するために提案されたグラフィックスアクセラレータカード用のバスインタフェースであり、ＭＥＭ−Ｐ１２１２に高スループットで直接アクセスすることにより、グラフィクスアクセラレータカードを高速にするものである。
【００８３】
ＡＳＩＣ１２１６に接続するキーボード１２２０は、操作者からの操作入力を受け付けて、ＡＳＩＣ１２１６に受け付けられた操作入力情報を送信する。
【００８４】
実施の形態の画像形成装置で実行される画像処理プログラムおよび画像形成プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００８５】
さらに、実施の形態による画像形成装置で実行される画像処理プログラムおよび画像形成プログラムは、インターネット等のネットワークに接続されたコンピュータ上に格納し、ネットワーク経由でダウンロードさせることにより提供するように構成しても良く、また、インターネット等のネットワーク経由で提供または配布するように構成しても良い。
【００８６】
実施の形態の画像形成装置で実行される画像処理プログラムおよび画像形成プログラムは、上述した各部（システムコントローラ、画像処理部、コピーアプリ、プリンタアプリ等）を含むモジュール構成となっており、実際のハードウェアとしてはＣＰＵ（プロセッサ）が上記ＲＯＭから画像処理プログラムおよび画像形成プログラムを読み出して実行することにより上記各部が主記憶装置上にロードされ、システムコントローラ、画像処理部、コピーアプリ、プリンタアプリ等が主記憶装置上に生成されるようになっている。
【産業上の利用可能性】
【００８７】
以上のように、本発明にかかる画像処理装置、画像形成装置、画像処理方法、その方法をコンピュータに実行させるプログラム、および記録媒体は、画像処理および画像形成技術に有用である。
【図面の簡単な説明】
【００８８】
【図１】実施の形態による画像形成装置の概略を説明する図である。
【図２】実施の形態による画像形成装置の要部である画像処理ユニットの機能的ブロック図である。
【図３】ゴミを検出した場合のキャリッジの動作を説明する図である。
【図４】基準となるＡＣＣパターン画像の一例を示す模式図である。
【図５】色味補正テーブルの一例を示す図表である。
【図６】実施の形態による画像処理手順を説明するフローチャートである。
【図７】実施の形態にかかる画像形成装置のハードウェア構成を説明する図である。
【符号の説明】
【００８９】
１  操作部
２  操作表示部
３  読取り部
４  記録部
５  システムコントローラ
６  画像処理部
７  コピーアプリ
８  プリンタアプリ
９  ＦＡＸアプリ
１０  記憶部
【図１】
2006262210.tif 000003
【図２】
2006262210.tif 000004
【図３】
2006262210.tif 000005
【図４】
2006262210.tif 000006
【図５】
2006262210.tif 000007
【図６】
2006262210.tif 000008
【図７】
2006262210.tif 000009